(57)【要約】【課題】ガラス又は透明，半透明の樹脂体の内部にレーザ加工によって形成した画像をより鮮明に表示し、美観の向上を図ると共に省電力化に貢献し得る多次元装飾内部描画像を有する表示パネルを提供する。【解決手段】画像９を内部にレーザ加工によって形成する内部画像体２の表面にはモアレ現象によって立体感を生じさせる装飾シート３が接合され、裏面にはカッティングシート９，フィルム，塗膜からなるシート体４が接合される。これ等は枠体６により囲まれると共に枠体６内にはＬＥＤ５ａが設けられ、ＬＥＤ５ａの照光により画像９が照明される。この画像は色彩のある立体像として明瞭に表示される。【選択図】図１
2005053025.tif 000002
【特許請求の範囲】
【請求項１】
照明画像を表示する表示パネルであって、該表示パネルは、ガラス又は透明，半透明の樹脂体で内部にレーザ加工によって形成される描画像を有する内部描画体と、この外面に接合されモアレ現象によって三次元効果を有する装飾シート又は二次元効果のある装飾シートと、前記内部描画体の一面に接合されるシート体とから構成され、照明体により前記描画像を照明表示すべく形成されることを特徴とする多次元装飾内部描画像を有する表示パネル。
【請求項２】
前記シート体が、カッティングシート、フィルム，塗膜のいずれかからなることを特徴とする請求項１に記載の多次元装飾内部描画像を有する表示パネル。
【請求項３】
前記内部描画体、装飾シート及びシート体が、集光性，蓄光性，蛍光性を有するものから形成されることを特徴とする請求項１又は２に記載の多次元装飾内部描画像を有する表示パネル。
【請求項４】
互いに接合された前記内部描画体，装飾シート及びシート体は外枠体により囲まれることを特徴とする請求項１乃至３のいずれかに記載の多次元装飾内部描画像を有する表示パネル。
【請求項５】
前記内部描画体の露出外縁面には反射体が接合されることを特徴とする請求項１乃至４のいずれかに記載の多次元装飾内部描画像を有する表示パネル。
【請求項６】
前記内部描画体の前記照明体の照明側の縁部には、前記照明体の先端側が挿着される凹部又は凹溝が形成されることを特徴とする請求項１乃至５のいずれかに記載の多次元装飾内部描画像を有する表示パネル。
【請求項７】
前記多次元装飾内部描画像を有する表示パネルが横及び／又は縦方向に複数個並設されることを特徴とする請求項１乃至６のいずれかに記載の多次元装飾内部描画像を有する表示パネル。
【発明の詳細な説明】
【技術分野】
【０００１】
本発明は、内部に描画像を有すると共にこの描画像を立体的に装飾表示する表示パネルに係り、屋内外に設置されるすべての表示用のパネルに適用可能な多次元装飾内部描画像を有する表示パネルに関する。
【背景技術】
【０００２】
特許文献１，２，３等に示すようにガラスや透明の樹脂体の内部に任意の描画をレーザ加工によって形成する技術は同一出願人により既に創案され開示されている。一方、モアレ現象を用いて立体感を形成する装飾シートとしては特許文献４に開示されている。これ等は画像を表示する広告パネルや装飾パネルとして広く使用されている。
【特許文献１】特開２００２−２４４５９６号公報（全頁）
【特許文献２】特開２００２−２１１１９７号公報（全頁）
【特許文献３】特開２００２−０３６８００号公報（全頁）
【特許文献４】特開平１１−１８９０００号公報（全頁）
【発明の開示】
【発明が解決しようとする課題】
【０００３】
前記特許文献１乃至４にあるように内部描画像を有する表示パネルや装飾シートは夫々、従来の表示パネルにない特許を有し、広く使用され得るものであるが、内部画像を更に装飾的に表示さたり、内部画像をより鮮明に表示するには不十分であった。また、更にそれ自体として単に透明体や半透明に限らず、蛍光性，集光性，蓄光性を有する機能を付加することにより、より照明性が向上し、省エネルギ化にも寄与し得るものであるが従来技術ではこの点が不十分であった。
【０００４】
本発明は、前記の不十分の機能を比較的簡便で、容易に実施し得る手段により解決するもので、内部描画像としての特徴を保有しながら、その装飾性，照明性を向上し、更に多用途の表示パネルとして適用でき、省エネルギ化にも対応できる多次元装飾内部描画像を有する表示パネルを提供することを目的とする。
【課題を解決するための手段】
【０００５】
本発明は、以上の目的を達成するため、請求項１の発明は、照明画像を表示する表示パネルであって、該表示パネルは、ガラス又は透明，半透明の樹脂体で内部にレーザ加工によって形成される描画像を有する内部描画体と、この外面に接合されモアレ現象によって三次元効果を有する装飾シート又は二次元効果のある装飾シートと、前記内部描画体の一面に接合されるシート体とから構成され、照明体により前記描画像を照明表示すべく形成されることを特徴とする。これにより三次元の立体感のある内部描画像を照明表示することができる。
【０００６】
また、請求項２の発明は、前記シート体が、カッティングシート、フィルム，塗膜のいずれかからなることを特徴とする。これにより、内部描画像をより鮮明に、表示でき、かつ美観向上が図れる。
【０００７】
また、請求項３の発明は、前記内部描画体、装飾シート及びシート体が、集光性，蓄光性，蛍光性を有するものから形成されることを特徴とする。集光性，蓄光性，蛍光性を有する機能を付加することにより、装飾性の向上と共に省エネルギ化が図れる。
【０００８】
また、請求項４の発明は、互いに接合された前記内部描画体，装飾シート及びシート体は外枠体により囲まれることを特徴とする。これにより、外観美の向上と、設置性の向上が図れる。
【０００９】
また、請求項５の発明は、前記内部描画体の露出外縁面には反射体が接合されることを特徴とする。これにより、内部描画像の一層の鮮明化と省エネルギ化が図れる。
【００１０】
また、請求項６の発明は、前記内部描画体の前記照明体の照明側の縁部には、前記照明体の先端側が挿着される凹部又は凹溝が形成されることを特徴とする。これにより、照明体から内部描画像への照明光の入光効率が向上し、省エネルギ化が図れる。
【００１１】
また、請求項７の発明は、前記多次元装飾内部描画像を有する表示パネルが横及び／又は縦方向に複数個並設されることを特徴とする。これにより、描画表示内部の拡大が図れ、広告，宣伝，効果の向上が図れる。
【発明の効果】
【００１２】
本発明によれば、内部描画像としての特徴を有すると共に、その装飾性の向上、鮮明性の向上が図れ、広範囲の表示パネルとして使用されると共に、省エネルギ化を図ることができる。
【発明を実施するための最良の形態】
【００１３】
以下、本発明の多次元装飾内部描画像を有する表示パネルの実施の形態を図面を参照して詳述する。図１，図２は本発明の多次元装飾内部描画像を有する表示パネル１の全体概要構造を示すものである。多次元装飾内部描画像を有する表示パネル１は、大別すると画像９を内部に形成する内部描画体２と、装飾シート３と、シート体４と、照明体５等とからなり、図１ではこれ等が枠体６により囲まれた状態を示す。なお、照明体５としては本実施の形態ではＬＥＤ５ａを採用しているが、これに限定するものでない。ＬＥＤ５ａはインバータ７を介してＡＣ１００Ｖ分電源部８に連結される。
【実施例１】
【００１４】
内部描画体２はガラス又は樹脂体からなり、本実施の形態では透明なアクリル樹脂板２ａを用いているが、これに限定するものではない。このアクリル樹脂板２ａは比較的薄厚のものからなり、その内部には画像９が形成される。この画像９はレーザ加工により行われ、その形成技術は既に本出願人等により開発され、開示されている。画像９の種類としては文字，絵画，模様等任意のものが上げられる。画像９は内部形成されるため消すことが出来ず、かつ汚れることもなくほぼ永久に使用される。なお、画像９が不要となれば、他の画像９を形成した別のアクリル樹脂板２ａと交換すればよい。よって、従来一般に使用されている多数個ＬＥＤ群の点灯コントロールによる表示パネルに較べて変更が容易にできる。また、低コストである。
【００１５】
この内部描画体２の表面には装飾シート３が接合され、裏面にはシート体４が接合される。装飾シート３は、例えば、特許文献４の特開平１１−１８９０００号公報等に開示するように透明シート体の一面に縞様を印刷し、その裏面に縞様を用いて形成されるモアレ縞を印刷したものであり、このモアレ現象により奥行きのある立体感を形成し得るものである。この装飾シート３を内部描画体２の表面に接合することにより内部描画体２の画像９が立体的に浮き上った状態で観察され、平坦のものに較べてより美観があり、かつ意外性のある立体像として浮き上り形成される。なお、装飾シート３としては薄厚の板体からなり、その立体感の形成のわりには極めて設置容積を必要としないものでコンパクトにまとめられる。ナオ、装飾シート３は前記のものに限定するものではない。
【００１６】
シート体４は薄厚のものからなり、本実施の形態では内部描画体２の裏面に接合されるものからなるがこれに限定するものではない。シート体４としては、例えば、内部描画体２の文字の画像９にならった形状の輪郭を有する着色のカッティングシートや着色のフィルムや塗膜等が用いられる。これにより、画像９をより一層引き立てることができる。
【００１７】
内部描画体２、装飾シート３及びシート体４は透明又は半透明の樹脂体等から形成されるが、更に多機能を発揮させるためこれ等を集光性，蓄光性や蛍光性を有するものから形成してもよい。これにより、省電力化が可能になると共に、画像９の美観の向上が図れる。  
【００１８】
本実施の形態では、照明体５としてはＬＥＤ５ａを用いるがこれに限定するものではない。ＬＥＤ５ａは一般に小形で省電力のものであり、かつかなりの照度を有するため内部描画体２の画像９を明瞭に表示することができる。この色としては赤，緑，青，紫等多色のものからなる。本実施の形態ではＬＥＤ５ａは内部描画体２、装飾シート３及びシート体４を囲む枠体６の下方及び両側に配置されているが、必ずしも全部に配置する必要がなく、下方のみでもよい。ＬＥＤ５ａは４Ｖ程度の直流電圧により作動するため１００Ｖの電源部８に対してインバータ７を介して連結される。
【００１９】
図３に示すように、内部描画体２と装飾シート３及びシート体４は枠体６により上面を残した状態で囲まれる。この枠体６は任意の材質のものでよいが、一般には木材が用いられるが勿論これに限定するものではない。枠体６により囲まれない上面には反射体１０が接合される。これにより、内部に入射したＬＥＤ５ａの光を反射させて画像９をより一層明瞭に照射することができる。
【実施例２】
【００２０】
図４は本発明の別の実施例を示すものである。照明体５（ＬＥＤ５ａ）の照射される内部描画体２の下面は通常は平坦面からなるが、本実施の場合は図示のように凹溝１１を構成したものからなる。この凹溝１１は図５に示すようにＬＥＤ５ａの頭部が嵌り込んで挿着される形状のものからなる。これによりＬＥＤ５ａはその頭部を内部描画体３の下面にほぼ密接した形態で挿着されＬＥＤ５ａの照射光を直接内部描画体２内に照射することができる。この結果描画９をより一層明瞭に照射でき、かつＬＥＤ５ａの光エネルギを従来のものよりも効率的に利用することができる。なお、図４，図５では凹溝１１を採用したが、ＬＥＤ５ａの頭部の挿着される凹孔のような凹部であっても勿論よい。
【実施例３】
【００２１】
図６は更に別の実施例を示すものである。通常本発明の多次元装飾内部描画像を有する表示パネル１は単体で使用されるが、これに限定するものでなく、図６のように多次元装飾内部描画像を有する表示パネル１を縦横方向に多列に配置することもできる。これにより関連のある画像を縦横に配置し、多機能で特徴のある集合画像を形成することができる。
【産業上の利用可能性】
【００２２】
本発明の多次元装飾内部描画像を有する表示パネルは任意の画像を鮮明に表示することができ、広告宣伝用の表示パネル、標識的なパネル、安全表示パネル、警告パネル等各方向の表示パネルとして広く使用される。
【図面の簡単な説明】
【００２３】
【図１】本発明の多次元装飾内部描画像を有する表示パネルの全体構成を示す斜視図。
【図２】図１の上面図。
【図３】上面に反射体を設けた多次元装飾内部描画像を有する表示パネルを示す平面図。
【図４】ＬＥＤの挿着される凹溝を形成する内部描画体の部分平面図（ａ）、図４（ａ）のＡ−Ａ線断面図（ｂ）。
【図５】本発明の多次元装飾内部描画像を有する表示パネルを縦横に多数個並べた状態を示す模式平面図。
【符号の説明】
【００２４】
１    多次元装飾内部描画像を有する表示パネル
２    内部描画体
２ａ  アクリル樹脂板
３    装飾シート
４    シート体
５    照明体
５ａ  ＬＥＤ
６    枠体
７    インバータ
８    電源部
９    画像
１０  反射体
１１  凹溝
【図１】
2005053025.tif 000003
【図２】
2005053025.tif 000004
【図３】
2005053025.tif 000005
【図４】
2005053025.tif 000006
【図５】
2005053025.tif 000007